(57)【要約】【課題】  電話呼び出しに対し、外部接続されたパソコンからも着信対応を可能とする通信端末装置を提供する。【解決手段】  公衆回線１４から、電話呼び出しがあると（ステップＳＴ１）、その旨を登録してあるパソコンにネットワーク（ＬＡＮ１５）経由でメッセージを送信する（ステップＳＴ２）。そのパソコンから上記メッセージの応答として、応答する、メッセージを送り居留守を使う、転送する、の別を受信する（ステップＳＴ３、ＳＴ５、ＳＴ７）。上記各応答を受信すると、対応して仮着信させ、疑似リングバックトーンと疑似ベルを送信する（ステップＳＴ４）、着信し、不在メッセージを送信する（ステップＳＴ６）、着信し、転送を行う（ステップＳＴ８）。【選択図】      図３
2005101688.tif 000002
【特許請求の範囲】
【請求項１】
公衆電話回線に接続される送受信部と、外部処理装置にネットワークを介して接続するための入出力部と、前記公衆電話回線より電話呼び出しがあると、前記入出力部より外部処理装置にメッセージを送信する手段と、を備えたことを特徴とする通信端末装置。
【請求項２】
前記メッセージに対する前記外部処理装置から命令を受信する手段を備えることを特徴とする請求項１記載の通信端末装置。
【請求項３】
前記メッセージは、応答するか、留守を示すメッセージを送出するか、転送をするか、のいずれを選択するかを問うものであることを特徴とする請求項１又は請求項２記載の通信端末装置。
【発明の詳細な説明】
【技術分野】
【０００１】
この発明は、ファクシミリ装置、ファクシミリ機能・コピー機能などの多機能を有する複合機などの通信端末装置に関する。
【背景技術】
【０００２】
一般に、ファクシミリ装置、複合機などの電話機能を有する通信端末装置とパソコン（外部処理装置）をネットワーク上で接続し、通信端末装置に送信されて来た画像データを外部処理装置に転送したり、外部処理装置からの要求により、画像データをプリントしたり、他の通信端末装置に送信するようにしたシステムが知られている（例えば、特許文献１参照）。
【特許文献１】特開２０００−２６１５５４号公報
【発明の開示】
【発明が解決しようとする課題】
【０００３】
上記した従来の通信システムにおいて、通信端末装置に電話呼び出しがあると、応答するか、メッセージを出し居留守を使うか、転送するか、を通信端末装置でしか操作できず、もしオペレータがパソコン設置場所に居る場合、電話呼び出しに対する応答をするには、通信端末装置の設置箇所に行かねばならず、大変不便であった。
【０００４】
この発明は上記問題点に着目してなされたものであって、外部接続されるパソコンからも着信対応を可能とする通信端末装置を提供することを目的としている。
【課題を解決するための手段】
【０００５】
この通信端末装置は、公衆電話回線に接続される送受信部と、外部処理装置にネットワークを介して接続するための入出力部と、前記公衆電話回線より電話呼び出しがあると、前記入出力部より外部処理装置にメッセージを送信する手段と、を備える。
【０００６】
更に、この発明の通信端末装置は、前記メッセージに対する前記外部処理装置からの命令を受信する手段を備えると良い。
【０００７】
また、この発明の通信端末装置において、前記メッセージは、応答するか、留守を示すメッセージを送出するか、転送をするか、のいずれを選択するかを問うものである。
【０００８】
この発明の通信端末装置では、公衆電話回線より呼び出しがあると、この呼び出しに関するメッセージを外部処理装置に送信する。そして、この送信に対する外部処理装置よりの応答、例えば応答する、メッセージを送出する、転送する、の別を受信する。
【発明の効果】
【０００９】
この発明によれば、電話呼出しがあると、その通信端末そから外部処理装置にメッセージを送出し、外部処理装置からこのメッセージに対する応答を行うので、パソコン操作中に電話呼び出しに対して、わざわざ席を立ち、通信端末装置の設置場所まで出向き、通信端末装置を操作する必要がなく、大変便利となる。
【発明を実施するための最良の形態】
【００１０】
以下、実施の形態により、この発明を更に詳細に説明する。図１は、この発明が実施される通信システムの構成を示すブロック図である。このシステムでは、ファクシミリ装置１０３が、電話回線網１０５に接続される一方、ＬＡＮ１０４を介してパソコン（ＰＣ）１０１、１０２等の他の外部処理装置に接続されている。通常、このシステムでは、ファクシミリ装置（通信端末装置）１０３で読み取り、あるいは受信した画像データをパソコン１０１、１０２等に転送したり、あるいはパソコン１０１、１０２からの要求により、画像データをプリントし、又はファクシミリ送信することができる。更に、ファクシミリ装置１０３は、電話回線網１０５から電話を受信して、自身に予め番号を登録してあるパソコンに、電源接続の指令を送り、そのパソコンの電源を切断させることができる。
【００１１】
上記ファクシミリ装置１０３は、カラーのコピー装置とカラーのファクシミリ装置を兼用するカラー複合機として構成したものであり、概略構成を図２に示す。このカラー複合機は、ＩＴＵ−Ｔ勧告で規定されたファクシミリ通信手順に従って、カラー画像をファクシミリ通信する機能を備えている。
【００１２】
図２において、主制御部としてのＣＰＵ（中央処理装置）１は、当該装置を構成する各部を統括制御する機能を有する。
【００１３】
このＣＰＵ１には、ＮＣＵ（網制御回路：Network Control Unit）２、ＭＯＤＥＭ３、ＲＯＭ４、ＲＡＭ５、画像メモリ６、表示部７、操作部８、画像読み取り部９、画像記録部１０、ＣＯＤＥＣ（符号化・復号器：Coder and Decoder ）１１、ＬＡＮ  Ｉ／Ｆ１２がバス１３を介して接続されている。
【００１４】
ＮＣＵ２は、ＣＰＵ１により制御されて、通信回線である電話回線網（ＰＳＴＮ）１０５との接続を制御する。また、ＮＣＵ２は、通信相手の電話番号（ＦＡＸ番号を含む）に応じたダイヤルパルスを送出する機能及び着信を検出する機能を有する。ＭＯＤＥＭ３は、ＩＴＵ（国際電気通信連合）−Ｔ勧告Ｔ．３０、Ｔ．４に従ったファクシミリ伝送制御手順（ファクシミリ通信手順）に基づいて、Ｖ．１７、Ｖ．２７ｔｅｒ、Ｖ．２９等に従った送信データの変調及び受信データの復調を行う。また、ＭＯＤＥＭ３は、Ｖ．８、Ｖ．３４を用いたＶ．３４ＦＡＸにも適用可能である。具体的には、ＭＯＤＥＭ３は、ＮＣＵ２を介して電話回線網１０５に送出するために、デジタル信号である送信データをアナログの音声信号に変調する機能を有する。また、ＭＯＤＥＭ３は、電話回線網１０５からＮＣＵ２を介して受信したアナログの音声信号をデジタル信号に復調する機能を有する。
【００１５】
ＲＯＭ４は、この装置全体の動作を制御するためのプログラム等を記憶する。ＲＡＭ５は、ＣＰＵ１による制御に必要なデータ及び制御動作時に一時記憶が必要なデータ等を記憶する。ＲＡＭ５には、ＰＣ登録テーブル５ａを有する。画像メモリ６は、画像読み取り部９で読み取った画像データを圧縮状態で記憶する。さらに、画像メモリ６は、パーソナルコンピュータ等の外部装置からネットワーク（ＬＡＮ）を介して受信した画像データ又は記録メディアから読み込んだ画像データを圧縮状態（ＪＰＥＧ等）で記憶する。
【００１６】
表示部７は、アイコン、キーボタンの表示や、データの送受信に必要なメッセージ内容、操作部８の操作により入力された電話番号やＦＡＸ番号等を表示する。この表示部７としては、ＣＲＴディスプレイやＬＣＤ（液晶表示装置）が用いられる。操作部８は、テンキーと、ワンタッチキーと、登録キーと、スタートキーと、動作モード切替キーとを有する。テンキーは、電話番号やＦＡＸ番号を入力するためのものである。ワンタッチキーは、相手先の電話番号やＦＡＸ番号をワンタッチで呼び出すためのものである。登録キーは、相手先の電話番号やＦＡＸ番号を短縮登録するためのものである。スタートキーは、ファクシミリ通信やコピー動作の開始を指示するためのものである。動作モード切替キーは、ＦＡＸモード・コピーモード・スキャナモード等の複数の動作モードについてのモード切り替えを行うためのものである。
【００１７】
画像読み取り部９は、ファクシミリ送信するとき又はコピーするときに、原稿の画像データを光学的に走査して読み取る。この画像読み取り部９は、カラー画像の読み取りも可能である。カラー読み取りの場合、画像読み取り部９は、原稿画像を光学的に走査し、ＲＧＢ３色の色分解信号を得る。画像記録部１０は、電子写真方式のプリンタよりなり、受信画像データやコピー動作において画像読み取り部９で読み取った原稿の画像データを記録紙上に記録する。この画像記録部１０は、ＣＭＹＫ４色の記録剤（トナー）を使用するものであり、Ｋ（黒成分）のみの記録剤を用いたモノクロプリントに加えて、ＣＭＹＫ４色全ての記録剤を用いたカラープリントも可能である。
【００１８】
ＣＯＤＥＣ１１は、読み取った画像データを送信又は記憶するためにＭＨ、ＭＲ、ＭＭＲ方式等により符号化（エンコード）する。また、ＣＯＤＥＣ１１は、圧縮符号化された状態で受信した画像データを、画像記録部１０により記録するために復号（デコード）する。更に、ＣＯＤＥＣ１１は、画像読み取り部９でカラー読み取りして得たカラー画像データをＪＰＥＧ方式により符号化し、ＪＰＥＧ方式により符号化された状態で受信したカラー画像データを、画像記録部１０により記録するために復号する。ＬＡＮ  Ｉ／Ｆ１２は、ＬＡＮ（ローカルエリアネットワーク）１０４を介して外部機器とのデータ授受を行うためのものであり、ＬＡＮ  Ｉ／Ｆ１２を介してＰＣ（パーソナルコンピュータ：図１のＰＣ１０１、１０２）等の外部機器が接続される。例えば、ＬＡＮ  Ｉ／Ｆ１２を介して、外部機器からコピーすべき画像データを受信することができる。また、電話回線網１０５から電話呼び出しを受けた場合に、ＬＡＮＩ／Ｆ１２より、ＰＣ１０１、１０２等の外部機器に対して、メッセージを送信する。また、この送信に対する外部機器からの応答をＬＡＮＩ／Ｆ１２を介して受信する。
【００１９】
次に、この実施形態ファクシミリ装置（通信端末装置）において、公衆回線より呼び出しがあった場合の処理動作を、図３に示すフロー図を参照して説明する。この処理ルーチンに入ると、ステップＳＴ１において、電話呼び出しが有りか否かを判定する。公衆回線１０５から電話呼び出しがあった場合は、ステップＳＴ２へ移行する。
【００２０】
ステップＳＴ２においては、ＲＡＭ５のＰＣ登録テーブル５ａに識別番号が記憶しているパソコンにＬＡＮ（Ｌｏｃａｌ  ｅｒｅａ  ｎｅｔ  ｗｏｒｋ）１０４経由でメッセージを送信する。このメッセージは、電話呼び出しがあった旨、及び応答するか、留守を示すメッセージを送出して、いわゆる居留守を使うか、転送するか（例えば、ファクシミリ画像の場合、画像データをメモリに記憶し、他の端末、ＰＣなどに転送する）、の内容である。続いて、ステップＳＴ３へ移行する。
【００２１】
ステップＳＴ３においては、外部接続されたパソコンより、応答命令を受信したか否かを判定する。パソコンでは、この通信端末装置から受信したメッセージに対し、応答する、留守を示すメッセージを送出して居留守を使う、転送する、のいずれかを選択して、通信端末装置に回答返送する。この回答が「応答する」である場合には、ステップＳＴ３の応答命令を受信したか、の判定がＹＥＳであり、ステップＳＴ４へ移行する。一方、他の命令受信の場合は、ステップＳＴ５へ移行する。ステップＳＴ４においては、端末装置を仮着信させ、電話回線網１０５に疑似リングバックトーンを、近傍に疑似ベルを、それぞれ送出する。
【００２２】
ステップＳＴ５においては、パソコンより居留守命令を受信したか否かを判定する。居留守命令受信の場合は、ステップＳＴ６へ移行する。一方、居留守命令受信でない場合は、ステップＳＴ７へ移行する。ステップＳＴ６においては、電話呼び出しを着信し、留守（不在）メッセージを送出する。
【００２３】
ステップＳＴ７においては、パソコンより転送命令を受信したか否かを判定する。転送命令受信の場合は、ステップＳＴ８へ移行する。一方、転送命令の受信でない場合は、ステップＳＴ３へ戻る。ステップＳＴ８においては、電話呼び出しを着信し、転送を行う。この転送は、例えば電話呼び出しがファクシミリ画像に係る場合には、受信画像をメモリに記憶した後、予め登録する、例えば他の通信端末、ＰＣ等に画像データを送出するものである。
【図面の簡単な説明】
【００２４】
【図１】この発明が実施される通信システムの構成を示すブロック図である。
【図２】同通信システムの通信端末装置の構成を示すブロック図である。
【図３】同通信端末装置の電話呼出し時の処理動作を説明するフロー図である。
【符号の説明】
【００２５】
１              主制御部（ＣＰＵ）
２              ＮＣＵ
３              ＭＯＤＥＭ
４              ＲＯＭ
５              ＲＡＭ
５ａ            ＰＣ登録テーブル
６              画像メモリ
７              表示部
８              操作部
９              画像読み取り部
１０            画像記録部
１１            ＣＯＤＥＣ
１２            ＬＡＮ  Ｉ／Ｆ
１３            バス
１０１、１０２  ＰＣ
１０３          ファクシミリ装置
１０４          ＬＡＮ
１０５          電話回線網
【図１】
2005101688.tif 000003
【図２】
2005101688.tif 000004
【図３】
2005101688.tif 000005